(57)【要約】【課題】電子機器の操作性を向上することを可能にする技術を提供する。【解決手段】表示パネル１２０は、電子機器１の動作モードがカーソル表示モードである場合に、タッチパネル１３０が検出する表示領域での操作子の移動に応じて、表示領域においてカーソルを移動する。制御部１００は、電子機器１の動作モードがカーソル表示モードである場合に、表示領域においてカーソルが表示対象を指し示すように操作子が表示領域において移動した後に表示領域から離れたことをタッチパネル１３０が検出すると、当該カーソルが指し示す表示対象に関連付けられた処理を実行する。【選択図】図３
2014089522.tif 000002
【特許請求の範囲】
【請求項１】
電子機器であって、
前記電子機器の動作モードを決定する決定部と、
表示領域に表示を行う表示部と、
前記表示領域に対する操作子による操作を検出する検出部と、
前記表示領域に表示されている表示対象に関連付けられた処理を実行する処理実行部と
を備え、
前記決定部は、前記表示領域に対する前記操作子による第１操作を前記検出部が検出すると、前記動作モードを、前記表示領域にカーソルが表示されるカーソル表示モードに決定し、
前記表示部は、前記動作モードが前記カーソル表示モードである場合に、前記検出部が検出する前記表示領域での前記操作子の移動に応じて、前記表示領域においてカーソルを移動し、
前記処理実行部は、前記動作モードが前記カーソル表示モードである場合に、前記表示領域においてカーソルが表示対象を指し示すように前記操作子が前記表示領域において移動した後に前記表示領域から離れたことを前記検出部が検出すると、当該カーソルが指し示す表示対象に関連付けられた処理を実行する、電子機器。
【請求項２】
請求項１に記載の電子機器であって、
前記決定部は、前記動作モードが前記カーソル表示モードである場合に、前記操作子が前記表示領域から離れたことを前記検出部が検出すると、前記カーソル表示モードを解除する、電子機器。
【請求項３】
請求項１及び請求項２のいずれか一つに記載の電子機器であって、
前記決定部は、前記動作モードが前記カーソル表示モードである場合に、前記操作子による前記表示領域に対するフリック操作を前記検出部が検出すると、前記カーソル表示モードを解除する、電子機器。
【請求項４】
請求項１乃至請求項３のいずれか一つに記載の電子機器であって、
前記表示部は、前記動作モードが前記カーソル表示モードである場合に、前記表示領域において前記操作子が所定時間以上移動しないことを前記検出部が検出すると、前記表示領域が表示する表示画面に対して、前記表示領域でのカーソルの周辺を拡大して示す拡大画像を重ねて表示する、電子機器。
【請求項５】
請求項４に記載の電子機器であって、
前記表示部は、前記動作モードが前記カーソル表示モードである場合に、前記表示領域においてカーソルが前記拡大画像の表示外に移動すると、前記拡大画像の表示を消去する、電子機器。
【請求項６】
請求項１乃至請求項５のいずれか一つに記載の電子機器であって、
前記表示部は、前記動作モードが前記カーソル表示モードである場合に、前記表示領域において前記操作子が所定時間内に往復移動したことを前記検出部が検出すると、前記表示領域の表示を拡大する、電子機器。
【請求項７】
請求項１乃至請求項６のいずれか一つに記載の電子機器であって、
前記電子機器でのイベントの発生を検出するイベント検出部をさらに備え、
前記表示領域での一部の端部には、前記電子機器の状態を示すアイコンが表示され、
前記表示部は、前記動作モードが前記カーソル表示モードである場合に、カーソルが前記一部の端部に移動し、その後、当該一部の端部から前記表示領域外へ向かう方向へカーソルを移動させるような前記表示領域での前記操作子の移動を前記検出部が検出すると、前記表示領域における、前記一部の端部以外の領域に、前記イベント検出部で検出された前記イベントに関する情報を表示する、電子機器。
【請求項８】
請求項１及び請求項２のいずれか一つに記載の電子機器であって、
前記電子機器でのイベントの発生を検出するイベント検出部をさらに備え、
前記表示領域での一部の端部には、前記電子機器の状態を示すアイコンが表示され、
前記表示部は、前記動作モードが前記カーソル表示モードである場合に、前記一部の端部に向かう方向への前記操作子による前記表示領域に対するフリック操作を前記検出部が検出すると、前記表示領域における、前記一部の端部以外の領域に、前記イベント検出部で検出された前記イベントに関する情報を表示する、電子機器。
【請求項９】
請求項７及び請求項８のいずれか一つに記載の電子機器であって、
前記イベント検出部が検出する前記イベントには、電子メールの受信が含まれている、電子機器。
【請求項１０】
請求項１に記載の電子機器であって、
前記動作モードが前記カーソル表示モードである場合に、前記表示領域においてカーソルを移動させるための前記操作子の移動が受け付けられる受付領域を前記表示領域に対して設定する設定部をさらに備え、
前記表示部は、前記動作モードが前記カーソル表示モードである場合に、前記操作子が前記受付領域において移動するときカーソルを移動する、電子機器。
【請求項１１】
請求項１０に記載の電子機器であって、
前記決定部は、前記動作モードが前記カーソル表示モードである場合に、前記操作子が前記受付領域に対して所定時間以上操作していないことを前記検出部が検出すると、前記カーソル表示モードを解除する、電子機器。
【請求項１２】
請求項１０及び請求項１１のいずれか一つに記載の電子機器であって、
前記表示部は、前記動作モードが前記カーソル表示モードである場合に、前記表示領域に表示されている表示画面に対して前記受付領域を示す受付領域画像を重ねて表示する、電子機器。
【請求項１３】
請求項１乃至請求項１２のいずれか一つに記載の電子機器であって、
前記第１操作は、前記操作子が、前記表示領域において、前記表示領域の端部から内側に向かう第１方向に、当該端部から移動する操作である、電子機器。
【請求項１４】
請求項１３に記載の電子機器であって、
前記決定部は、前記表示領域において、前記操作子が前記第１方向に前記表示領域の端部から移動した後に、当該操作子が当該端部に向かう第２方向に移動したことを前記検出部が検出すると、前記動作モードに設定した前記カーソル表示モードを解除する、電子機器。
【請求項１５】
請求項１に記載の電子機器であって、
前記電子機器は、前記動作モードとして、前記カーソル表示モードを含む複数のモードと、当該複数のモードのうちから前記動作モードとするモードを選択する選択モードとを有し、
前記決定部は、前記表示領域に対する前記操作子の第２操作を前記検出部が検出すると、前記動作モードを前記選択モードに決定し、
前記決定部は、
前記動作モードが前記選択モードである場合に、
前記表示領域に対する前記操作子による前記第１操作を前記検出部が検出すると、前記動作モードを前記カーソル表示モードに決定し、
前記表示領域に対する前記操作子による第３操作を前記検出部が検出すると、前記動作モードを、前記複数のモードのうち前記カーソル表示モード以外のモードに決定する、電子機器。
【請求項１６】
請求項１５に記載の電子機器であって、
前記複数のモードは、前記表示領域の表示の拡大及び縮小が行われる拡大・縮小モードを含み、
前記決定部は、前記動作モードが前記選択モードである場合に、前記表示領域に対する前記操作子による前記第３操作を前記検出部が検出すると、前記動作モードを前記拡大・縮小モードに決定し、
前記表示部は、前記動作モードが前記拡大・縮小モードである場合には、前記表示領域に対する前記操作子による第４操作を前記検出部が検出すると前記表示領域の表示を拡大し、前記表示領域に対する前記操作子による第５操作を前記検出部が検出すると前記表示領域の表示を縮小する、電子機器。
【請求項１７】
請求項１６に記載の電子機器であって、
前記第４操作は、前記操作子が前記表示領域において第１方向に移動する操作であって、
前記第５操作は、前記操作子が前記表示領域において前記第１方向とは反対方向の第２方向に移動する操作である、電子機器。
【請求項１８】
請求項１５に記載の電子機器であって、
前記複数のモードは、前記処理実行部で実行される処理が関連付けられた表示対象が表示される表示モードを含み、
前記処理実行部は、前記動作モードが前記表示モードである場合に、前記表示領域に表示されている表示対象を選択する操作が前記表示領域に対して前記操作子によって行われたことを前記検出部が検出すると、当該表示対象に関連付けられた処理を実行する、電子機器。
【請求項１９】
請求項１８に記載の電子機器であって、
前記動作モードが前記表示モードである場合に、前記表示領域に表示されている表示領域を選択する操作は、前記操作子が当該表示領域の表示上で前記表示領域から離れる操作である、電子機器。
【請求項２０】
請求項１５乃至請求項１９のいずれか一つに記載の電子機器であって、
前記第２操作は、前記操作子が、前記表示領域において、前記表示領域の端部から内側に向かう第３方向に、当該端部から移動する操作である、電子機器。
【請求項２１】
請求項２０に記載の電子機器であって、
前記決定部は、前記表示領域において、前記操作子が前記第３方向に前記表示領域の端部から移動した後に、当該操作子が当該端部に向かう第４方向に移動したことを前記検出部が検出すると、前記動作モードに設定した前記選択モードを解除する、電子機器。
【請求項２２】
請求項２０及び請求項２１のいずれか一つに記載の電子機器であって、
前記決定部は、前記表示領域において、前記操作子が前記第３方向に前記表示領域の端部から移動した後に、当該操作子が前記表示領域から離れたことを前記検出部が検出すると、前記動作モードに設定した前記選択モードを解除する、電子機器。
【請求項２３】
請求項１５乃至請求項２２のいずれか一つに記載の電子機器であって、
前記第１操作は、前記操作子が前記表示領域において第５方向に移動する操作であって、
前記第３操作は、前記操作子が前記表示領域において前記第５方向とは異なる第６方向に移動する操作である、電子機器。
【請求項２４】
請求項２３に記載の電子機器であって、
前記表示部は、前記動作モードが前記選択モードに設定されると、前記第５方向に向く第１矢印と、前記第６方向に向く第２矢印とを前記表示領域に表示する、電子機器。
【請求項２５】
請求項２１に記載の電子機器であって、
前記第１操作は、前記操作子が前記表示領域において第５方向に移動する操作であって、
前記第３操作は、前記操作子が前記表示領域において前記第５方向とは異なる第６方向に移動する操作であって、
前記第５及び第６方向の一方は、前記第４方向と一致し、
前記決定部は、
前記表示領域において、前記操作子が前記第３方向に前記表示領域の端部から移動した後に、当該操作子が前記第４方向に所定距離以上移動したことを前記検出部が検出すると、前記動作モードに設定した前記選択モードを解除し、
前記表示領域において、前記操作子が前記第３方向に前記表示領域の端部から移動した後に、当該操作子が前記第４方向に所定距離未満だけ移動したことを前記検出部が検出すると、前記動作モードを、前記選択モードから、前記カーソル表示モードあるいは前記複数のモードのうちの前記カーソル表示モード以外のモードに変更する、電子機器。
【請求項２６】
表示領域を有する電子機器を制御するための制御プログラムであって、
前記電子機器に、
（ａ）前記表示領域に対する操作子の第１操作を検出すると、前記電子機器の動作モードを、前記表示領域にカーソルが表示されるカーソル表示モードに決定する工程と、
（ｂ）前記動作モードが前記カーソル表示モードである場合に、前記検出部が検出する前記表示領域での前記操作子の移動に応じて、前記表示領域においてカーソルを移動する工程と、
（ｃ）前記動作モードが前記カーソル表示モードである場合に、前記表示領域においてカーソルが表示対象を指し示すように前記操作子が前記表示領域において移動した後に前記表示領域から離れたことを検出すると、当該カーソルが指し示す表示対象に関連付けられた処理を実行する工程と
を実行させるための制御プログラム。
【請求項２７】
表示領域を有する電子機器の動作方法であって、
（ａ）前記表示領域に対する操作子の第１操作を検出すると、前記電子機器の動作モードを、前記表示領域にカーソルが表示されるカーソル表示モードに決定する工程と、
（ｂ）前記動作モードが前記カーソル表示モードである場合に、前記検出部が検出する前記表示領域での前記操作子の移動に応じて、前記表示領域においてカーソルを移動する工程と、
（ｃ）前記動作モードが前記カーソル表示モードである場合に、前記表示領域においてカーソルが表示対象を指し示すように前記操作子が前記表示領域において移動した後に前記表示領域から離れたことを検出すると、当該カーソルが指し示す表示対象に関連付けられた処理を実行する工程と
を備える、電子機器の動作方法。
【発明の詳細な説明】
【技術分野】
【０００１】
本発明は、電子機器に関する。
【背景技術】
【０００２】
特許文献１及び２に記載されているように、従来から電子機器に関して様々な技術が提案されている。
【先行技術文献】
【特許文献】
【０００３】
【特許文献１】特開２００３−５８３１６号公報
【特許文献２】特開２００９−２８３０１３号公報
【発明の概要】
【発明が解決しようとする課題】
【０００４】
さて、電子機器については、その操作性の向上が望まれている。
【０００５】
そこで、本発明は上述の点に鑑みて成されたものであり、電子機器の操作性を向上することを可能にする技術を提供することを目的とする。
【課題を解決するための手段】
【０００６】
上記課題を解決するため、本発明に係る電子機器の一態様は、前記電子機器の動作モードを決定する決定部と、表示領域に表示を行う表示部と、前記表示領域に対する操作子による操作を検出する検出部と、前記表示領域に表示されている表示対象に関連付けられた処理を実行する処理実行部とを備え、前記決定部は、前記表示領域に対する前記操作子による第１操作を前記検出部が検出すると、前記動作モードを、前記表示領域にカーソルが表示されるカーソル表示モードに決定し、前記表示部は、前記動作モードが前記カーソル表示モードである場合に、前記検出部が検出する前記表示領域での前記操作子の移動に応じて、前記表示領域においてカーソルを移動し、前記処理実行部は、前記動作モードが前記カーソル表示モードである場合に、前記表示領域においてカーソルが表示対象を指し示すように前記操作子が前記表示領域において移動した後に前記表示領域から離れたことを前記検出部が検出すると、当該カーソルが指し示す表示対象に関連付けられた処理を実行する。
【０００７】
また、本発明に係る電子機器の一態様では、前記決定部は、前記動作モードが前記カーソル表示モードである場合に、前記操作子が前記表示領域から離れたことを前記検出部が検出すると、前記カーソル表示モードを解除する。
【０００８】
また、本発明に係る電子機器の一態様では、前記決定部は、前記動作モードが前記カーソル表示モードである場合に、前記操作子による前記表示領域に対するフリック操作を前記検出部が検出すると、前記カーソル表示モードを解除する。
【０００９】
また、本発明に係る電子機器の一態様では、前記表示部は、前記動作モードが前記カーソル表示モードである場合に、前記表示領域において前記操作子が所定時間以上移動しないことを前記検出部が検出すると、前記表示領域が表示する表示画面に対して、前記表示領域でのカーソルの周辺を拡大して示す拡大画像を重ねて表示する。
【００１０】
また、本発明に係る電子機器の一態様では、前記表示部は、前記動作モードが前記カーソル表示モードである場合に、前記表示領域においてカーソルが前記拡大画像の表示外に移動すると、前記拡大画像の表示を消去する。
【００１１】
また、本発明に係る電子機器の一態様では、前記表示部は、前記動作モードが前記カーソル表示モードである場合に、前記表示領域において前記操作子が所定時間内に往復移動したことを前記検出部が検出すると、前記表示領域の表示を拡大する。
【００１２】
また、本発明に係る電子機器の一態様では、前記電子機器でのイベントの発生を検出するイベント検出部がさらに設けられ、前記表示領域での一部の端部には、前記電子機器の状態を示すアイコンが表示され、前記表示部は、前記動作モードが前記カーソル表示モードである場合に、カーソルが前記一部の端部に移動し、その後、当該一部の端部から前記表示領域外へ向かう方向へカーソルを移動させるような前記表示領域での前記操作子の移動を前記検出部が検出すると、前記表示領域における、前記一部の端部以外の領域に、前記イベント検出部で検出された前記イベントに関する情報を表示する。
【００１３】
また、本発明に係る電子機器の一態様では、前記電子機器でのイベントの発生を検出するイベント検出部がさらに設けられ、前記表示領域での一部の端部には、前記電子機器の状態を示すアイコンが表示され、前記表示部は、前記動作モードが前記カーソル表示モードである場合に、前記一部の端部に向かう方向への前記操作子による前記表示領域に対するフリック操作を前記検出部が検出すると、前記表示領域における、前記一部の端部以外の領域に、前記イベント検出部で検出された前記イベントに関する情報を表示する。
【００１４】
また、本発明に係る電子機器の一態様では、前記イベント検出部が検出する前記イベントには、電子メールの受信が含まれている。
【００１５】
また、本発明に係る電子機器の一態様では、前記動作モードが前記カーソル表示モードである場合に、前記表示領域においてカーソルを移動させるための前記操作子の移動が受け付けられる受付領域を前記表示領域に対して設定する設定部がさらに設けられ、前記表示部は、前記動作モードが前記カーソル表示モードである場合に、前記操作子が前記受付領域において移動するときカーソルを移動する。
【００１６】
また、本発明に係る電子機器の一態様では、前記決定部は、前記動作モードが前記カーソル表示モードである場合に、前記操作子が前記受付領域に対して所定時間以上操作していないことを前記検出部が検出すると、前記カーソル表示モードを解除する。
【００１７】
また、本発明に係る電子機器の一態様では、前記表示部は、前記動作モードが前記カーソル表示モードである場合に、前記表示領域に表示されている表示画面に対して前記受付領域を示す受付領域画像を重ねて表示する。
【００１８】
また、本発明に係る電子機器の一態様では、請求項１乃至請求項１２のいずれか一つに記載の電子機器であって、前記第１操作は、前記操作子が、前記表示領域において、前記表示領域の端部から内側に向かう第１方向に、当該端部から移動する操作である。
【００１９】
また、本発明に係る電子機器の一態様では、前記決定部は、前記表示領域において、前記操作子が前記第１方向に前記表示領域の端部から移動した後に、当該操作子が当該端部に向かう第２方向に移動したことを前記検出部が検出すると、前記動作モードに設定した前記カーソル表示モードを解除する。
【００２０】
また、本発明に係る電子機器の一態様では、前記電子機器は、前記動作モードとして、前記カーソル表示モードを含む複数のモードと、当該複数のモードのうちから前記動作モードとするモードを選択する選択モードとを有し、前記決定部は、前記表示領域に対する前記操作子の第２操作を前記検出部が検出すると、前記動作モードを前記選択モードに決定し、前記決定部は、前記動作モードが前記選択モードである場合に、前記表示領域に対する前記操作子による前記第１操作を前記検出部が検出すると、前記動作モードを前記カーソル表示モードに決定し、前記表示領域に対する前記操作子による第３操作を前記検出部が検出すると、前記動作モードを、前記複数のモードのうち前記カーソル表示モード以外のモードに決定する。
【００２１】
また、本発明に係る電子機器の一態様では、前記複数のモードは、前記表示領域の表示の拡大及び縮小が行われる拡大・縮小モードを含み、前記決定部は、前記動作モードが前記選択モードである場合に、前記表示領域に対する前記操作子による前記第３操作を前記検出部が検出すると、前記動作モードを前記拡大・縮小モードに決定し、前記表示部は、前記動作モードが前記拡大・縮小モードである場合には、前記表示領域に対する前記操作子による第４操作を前記検出部が検出すると前記表示領域の表示を拡大し、前記表示領域に対する前記操作子による第５操作を前記検出部が検出すると前記表示領域の表示を縮小する。
【００２２】
また、本発明に係る電子機器の一態様では、前記第４操作は、前記操作子が前記表示領域において第１方向に移動する操作であって、前記第５操作は、前記操作子が前記表示領域において前記第１方向とは反対方向の第２方向に移動する操作である。
【００２３】
また、本発明に係る電子機器の一態様では、前記複数のモードは、前記処理実行部で実行される処理が関連付けられた表示対象が表示される表示モードを含み、前記処理実行部は、前記動作モードが前記表示モードである場合に、前記表示領域に表示されている表示対象を選択する操作が前記表示領域に対して前記操作子によって行われたことを前記検出部が検出すると、当該表示対象に関連付けられた処理を実行する。
【００２４】
また、本発明に係る電子機器の一態様では、前記動作モードが前記表示モードである場合に、前記表示領域に表示されている表示領域を選択する操作は、前記操作子が当該表示領域の表示上で前記表示領域から離れる操作である。
【００２５】
また、本発明に係る電子機器の一態様では、前記第２操作は、前記操作子が、前記表示領域において、前記表示領域の端部から内側に向かう第３方向に、当該端部から移動する操作である。
【００２６】
また、本発明に係る電子機器の一態様では、前記決定部は、前記表示領域において、前記操作子が前記第３方向に前記表示領域の端部から移動した後に、当該操作子が当該端部に向かう第４方向に移動したことを前記検出部が検出すると、前記動作モードに設定した前記選択モードを解除する。
【００２７】
また、本発明に係る電子機器の一態様では、前記決定部は、前記表示領域において、前記操作子が前記第３方向に前記表示領域の端部から移動した後に、当該操作子が前記表示領域から離れたことを前記検出部が検出すると、前記動作モードに設定した前記選択モードを解除する。
【００２８】
また、本発明に係る電子機器の一態様では、前記第１操作は、前記操作子が前記表示領域において第５方向に移動する操作であって、前記第３操作は、前記操作子が前記表示領域において前記第５方向とは異なる第６方向に移動する操作である。
【００２９】
また、本発明に係る電子機器の一態様では、前記表示部は、前記動作モードが前記選択モードに設定されると、前記第５方向に向く第１矢印と、前記第６方向に向く第２矢印とを前記表示領域に表示する。
【００３０】
また、本発明に係る電子機器の一態様では、前記第１操作は、前記操作子が前記表示領域において第５方向に移動する操作であって、前記第３操作は、前記操作子が前記表示領域において前記第５方向とは異なる第６方向に移動する操作であって、前記第５及び第６方向の一方は、前記第４方向と一致し、前記決定部は、前記表示領域において、前記操作子が前記第３方向に前記表示領域の端部から移動した後に、当該操作子が前記第４方向に所定距離以上移動したことを前記検出部が検出すると、前記動作モードに設定した前記選択モードを解除し、前記表示領域において、前記操作子が前記第３方向に前記表示領域の端部から移動した後に、当該操作子が前記第４方向に所定距離未満だけ移動したことを前記検出部が検出すると、前記動作モードを、前記選択モードから、前記カーソル表示モードあるいは前記複数のモードのうちの前記カーソル表示モード以外のモードに変更する。
【００３１】
また、本発明に係る制御プログラムの一態様は、表示領域を有する電子機器を制御するための制御プログラムであって、前記電子機器に、（ａ）前記表示領域に対する操作子の第１操作を検出すると、前記電子機器の動作モードを、前記表示領域にカーソルが表示されるカーソル表示モードに決定する工程と、（ｂ）前記動作モードが前記カーソル表示モードである場合に、前記検出部が検出する前記表示領域での前記操作子の移動に応じて、前記表示領域においてカーソルを移動する工程と、（ｃ）前記動作モードが前記カーソル表示モードである場合に、前記表示領域においてカーソルが表示対象を指し示すように前記操作子が前記表示領域において移動した後に前記表示領域から離れたことを検出すると、当該カーソルが指し示す表示対象に関連付けられた処理を実行する工程とを実行させるためのものである。
【００３２】
また、本発明に係る電子機器の動作方法の一態様は、表示領域を有する電子機器の動作方法であって、（ａ）前記表示領域に対する操作子の第１操作を検出すると、前記電子機器の動作モードを、前記表示領域にカーソルが表示されるカーソル表示モードに決定する工程と、（ｂ）前記動作モードが前記カーソル表示モードである場合に、前記検出部が検出する前記表示領域での前記操作子の移動に応じて、前記表示領域においてカーソルを移動する工程と、（ｃ）前記動作モードが前記カーソル表示モードである場合に、前記表示領域においてカーソルが表示対象を指し示すように前記操作子が前記表示領域において移動した後に前記表示領域から離れたことを検出すると、当該カーソルが指し示す表示対象に関連付けられた処理を実行する工程とを備える。
【発明の効果】
【００３３】
本発明によれば、電子機器の操作性が向上する。
【図面の簡単な説明】
【００３４】
【図１】電子機器の外観を示す前面図である。
【図２】電子機器の外観を示す裏面図である。
【図３】電子機器の電気的構成を示すブロック図である。
【図４】ユーザが電子機器を左手で持つ様子を示す図である。
【図５】ユーザが電子機器を右手で持つ様子を示す図である。
【図６】電子機器の表示例を示す図である。
【図７】電子機器の表示例を示す図である。
【図８】電子機器の表示領域に対する操作子による操作例を示す図である。
【図９】電子機器の表示例を示す図である。
【図１０】電子機器の表示領域に対する操作子による操作例を示す図である。
【図１１】電子機器の表示領域に対する操作子による操作例を示す図である。
【図１２】電子機器の表示領域に対する操作子による操作例を示す図である。
【図１３】電子機器の表示領域に対する操作子による操作例を示す図である。
【図１４】電子機器の表示領域に対する操作子による操作例を示す図である。
【図１５】電子機器の表示領域に対する操作子による操作例を示す図である。
【図１６】電子機器の表示例を示す図である。
【図１７】電子機器の表示領域に対する操作子による操作例を示す図である。
【図１８】電子機器の表示領域に対する操作子による操作例を示す図である。
【図１９】電子機器の表示領域に対する操作子による操作例を示す図である。
【図２０】電子機器の表示領域に対する操作子による操作例を示す図である。
【図２１】電子機器の表示領域に対する操作子による操作例を示す図である。
【図２２】電子機器の表示例を示す図である。
【図２３】電子機器の表示領域に対する操作子による操作例を示す図である。
【図２４】電子機器の表示領域に対する操作子による操作例を示す図である。
【図２５】電子機器の表示領域に対する操作子による操作例を示す図である。
【図２６】電子機器の表示例を示す図である。
【図２７】電子機器の表示例を示す図である。
【図２８】電子機器の表示例を示す図である。
【図２９】電子機器の表示例を示す図である。
【図３０】電子機器の表示領域に対する操作子による操作例を示す図である。
【図３１】電子機器の表示領域に対する操作子による操作例を示す図である。
【図３２】電子機器の表示例を示す図である。
【図３３】電子機器の表示例を示す図である。
【発明を実施するための形態】
【００３５】
＜電子機器の外観＞
図１，２は、それぞれ、実施の形態に係る電子機器１の外観を示す前面図及び裏面図である。本実施の形態に係る電子機器１は、例えば携帯電話機であって、基地局及びサーバ等を通じて他の通信装置と通信することが可能である。図１及び２に示されるように、電子機器１は、カバーパネル２とケース部分３を備えており、カバーパネル２とケース部分３とが組み合わされることによって、平面視で略長方形の板状を成す機器ケース４が構成されている。
【００３６】
カバーパネル２は、平面視において略長方形を成しており、電子機器１の前面部分における、周縁部分以外の部分を構成している。カバーパネル２は、例えば、透明のガラスあるいは透明のアクリル樹脂で形成されている。ケース部分３は、電子機器１の前面部分の周縁部分、側面部分及び裏面部分を構成している。ケース部分３は、例えばポリカーボネート樹脂で形成されている。
【００３７】
カバーパネル２の前面には、文字、記号、図形等の各種情報が表示される表示領域２ａが設けられている。表示領域２ａは例えば平面視で長方形を成している。カバーパネル２における、表示領域２ａを取り囲む周縁部分２ｂは、例えばフィルム等が貼られることによって黒色となっており、情報が表示されない非表示部分となっている。カバーパネル２の裏面には後述するタッチパネル１３０が貼り付けられており、ユーザは、電子機器１の前面の表示領域２ａを指等で操作することによって、電子機器１に対して各種指示を与えることができる。なお、ユーザは、指以外の操作子、例えば、スタイラスペンなどの静電式タッチパネル用ペンで表示領域２ａを操作することによっても、電子機器１に対して各種指示を与えることができる。
【００３８】
機器ケース４内には、ホームキー５ａ、メニューキー５ｂ及びバックキー５ｃが設けられている。ホームキー５ａ、メニューキー５ｂ及びバックキー５ｃのそれぞれは、ハードウェアキーであって、その表面が、カバーパネル２の前面の下側端部から露出している。ホームキー５ａは、表示領域２ａに、ホーム画面（初期画面）を表示するための操作キーである。メニューキー５ｂは、オプションメニュー画面を表示するための操作キーである。バックキー５ｃは、表示領域２ａの表示を一つ前の表示に戻すための操作キーである。以後、ホームキー５ａ、メニューキー５ｂ及びバックキー５ｃを特に区別する必要が無い場合には、それぞれを「操作キー５」と呼ぶ。なお、ホームキー５ａ、メニューキー５ｂ及びバックキー５ｃのそれぞれは、ハードウェアキーではなく、表示領域２ａに表示されて、タッチパネル１３０でそれに対する操作が検出されるソフトウェアキーであってもよい。
【００３９】
カバーパネル２の下側端部にはマイク穴６があけられており、カバーパネル２の上側端部にはレシーバ穴７があけられている。カバーパネル２の前面の上側端部からは、後述する前面側撮像部１８０が有する撮像レンズ１８０ａが視認可能となっている。また、図２に示されるように、電子機器１の裏面、言い換えれば機器ケース４の裏面には、スピーカ穴８があけられている。そして、電子機器１の裏面からは、後述する裏面側撮像部１９０が有する撮像レンズ１９０ａが視認可能となっている。
【００４０】
＜電子機器の電気的構成＞
図３は電子機器１の電気的構成を示すブロック図である。図３に示されるように、電子機器１には、制御部１００、無線通信部１１０、表示パネル１２０、タッチパネル１３０及びキー操作検出部１４０が設けられている。さらに電子機器１には、マイク１５０、レシーバ１６０、外部スピーカ１７０、前面側撮像部１８０、裏面側撮像部１９０及び電池２００が設けられている。電子機器１に設けられたこれらの構成要素は、機器ケース４内に収められている。
【００４１】
制御部１００は、ＣＰＵ（Central Processing Unit）１０１、ＤＳＰ（Digital Signal Processor）１０２及び記憶部１０３等を備えており、電子機器１の他の構成要素を制御することによって、電子機器１の動作を統括的に管理する。記憶部１０３は、ＲＯＭ（Read Only Memory）及びＲＡＭ（Random Access Memory）等で構成されている。記憶部１０３には、電子機器１の動作、具体的には電子機器１が備える無線通信部１１０、表示パネル１２０等の各構成要素を制御するための制御プログラムであるメインプログラム１０３ａ及び複数のアプリケーションプログラム１０３ｂ等が記憶されている。制御部１００の各種機能は、ＣＰＵ１０１及びＤＳＰ１０２が記憶部１０３内の各種プログラムを実行することによって実現される。なお図３では、図面の煩雑さを避けるために、アプリケーションプログラム１０３ｂは一つだけ示されている。
【００４２】
無線通信部１１０は、アンテナ１１１を有している。無線通信部１１０は、電子機器１とは別の携帯電話機あるいはインターネットに接続されたウェブサーバ等の通信装置からの信号を基地局等を介してアンテナ１１１で受信する。無線通信部１１０は、受信信号に対して増幅処理及びダウンコンバートを行って制御部１００に出力する。制御部１００は、入力される受信信号に対して復調処理等を行って、当該受信信号に含まれる、音声や音楽などを示す音信号などを取得する。また無線通信部１１０は、制御部１００で生成された、音信号等を含む送信信号に対してアップコンバート及び増幅処理を行って、処理後の送信信号をアンテナ１１１から無線送信する。アンテナ１１１からの送信信号は、基地局等を通じて、電子機器１とは別の携帯電話機あるいはインターネットに接続された通信装置で受信される。
【００４３】
表示パネル１２０は、例えば、液晶表示パネルあるいは有機ＥＬパネルである。表示パネル１２０は、制御部１００によって制御されることによって、文字、記号、図形などの各種情報を表示する。表示パネル１２０に表示される情報は、カバーパネル２の前面の表示領域２ａに表示される。したがって、表示パネル１２０は、表示領域２ａに表示を行っていると言える。
【００４４】
タッチパネル１３０は、カバーパネル２の表示領域２ａに対する指等の操作子による操作を検出する。タッチパネル１３０は、例えば、投影型静電容量方式のタッチパネルであって、カバーパネル２の裏面に貼り付けられている。ユーザが指等の操作子によってカバーパネル２の表示領域２ａに対して操作を行うと、それに応じた信号がタッチパネル１３０から制御部１００に入力される。制御部１００は、タッチパネル１３０からの信号に基づいて、表示領域２ａに対して行われた操作の内容を特定して、その内容に応じた処理を行う。
【００４５】
本実施の形態に係るタッチパネル１３０では、検出感度が高く設定されていることから、表示領域２ａに対して操作子が接触していることだけではなく、表示領域２ａとの間の距離が所定距離以下で操作子が表示領域２ａに対して近接していることも検出することができる。つまり、タッチパネル１３０の検出感度は、表示領域２ａと操作子との間の距離が所定距離以下になると当該タッチパネル１３０が反応するように設定されている。したがって、タッチパネル１３０は、表示領域２ａに接触している操作子が表示領域２ａから離れることだけではなく、表示領域２ａとの間の距離が所定距離以下で表示領域２ａに近接している操作子が、表示領域２ａとの間の距離が当該所定距離よりも大きくなるように表示領域２ａから離れることも検出することができる。
【００４６】
以後、表示領域２ａに操作子が近接していると言えば、表示領域２ａとの間の距離が所定距離以下で操作子が表示領域２ａに近接していること、つまりタッチパネル１３０が反応するようになるまで操作子が表示領域２ａに近接していることを意味する。また、本実施の形態では、操作子が表示領域２ａから離れることには、表示領域２ａに接触している操作子が表示領域２ａから離れることだけではなく、表示領域２ａとの間の距離が所定距離以下で表示領域２ａに近接している操作子が、表示領域２ａとの間の距離が当該所定距離よりも大きくなるように表示領域２ａから離れることも含むものとする。
【００４７】
キー操作検出部１４０は、各操作キー５に対するユーザの押下操作を検出する。キー操作検出部１４０は、各操作キー５について、当該操作キー５が押下（操作）されているか否かを検出する。キー操作検出部１４０は、操作キー５が押下されていない場合には、当該操作キー５が操作されていないことを示す未操作信号を制御部１００に出力する。また、キー操作検出部１４０は、操作キー５が押下されると、当該操作キー５が操作されたことを示す操作信号を制御部１００に出力する。これにより、制御部１００は、各操作キー５について、当該操作キー５が操作されているか否かを判断することができる。
【００４８】
制御部１００は、ホームキー５ａが押下されて、その後押下されなくなったことがキー操作検出部１４０で検出されると、表示パネル１２０にホーム画面（初期画面）を表示させる。これにより、表示領域２ａにはホーム画面が表示される。また、制御部１００は、メニューキー５ｂが押下されて、その後押下されなくなったことがキー操作検出部１４０で検出されると、表示パネル１２０にオプションメニュー画面を表示させる。これにより、表示領域２ａにはオプションメニュー画面が表示される。そして、制御部１００は、バックキー５ｃが押下されて、その後押下されなくなったことがキー操作検出部１４０で検出されると、表示パネル１２０に、その表示を一つ前に戻させる。これにより、表示領域２ａの表示が一つ前に戻る。
【００４９】
マイク１５０は、電子機器１の外部から入力される音を電気的な音信号に変換して制御部１００に出力する。電子機器１の外部からの音は、カバーパネル２の前面に設けられたマイク穴６から電子機器１の内部に取り込まれてマイク１５０に入力される。
【００５０】
外部スピーカ１７０は、例えばダイナミックスピーカであって、制御部１００からの電気的な音信号を音に変換して出力する。外部スピーカ１７０から出力される音は、電子機器１の裏面に設けられたスピーカ穴８から外部に出力される。スピーカ穴８から出力される音は、電子機器１から離れた場所でも聞こえるようになっている。
【００５１】
前面側撮像部１８０は、撮像レンズ１８０ａ及び撮像素子などで構成されており、制御部１００による制御に基づいて、静止画像及び動画像を撮像する。図１に示されるように、撮像レンズ１８０ａは、電子機器１の前面に設けられていることから、電子機器１の前面側（カバーパネル２側）に存在する物体を撮像することが可能である。
【００５２】
裏面側撮像部１９０は、撮像レンズ１９０ａ及び撮像素子などで構成されており、制御部１００による制御に基づいて、静止画像及び動画像を撮像する。図２に示されるように、撮像レンズ１９０ａは、電子機器１の裏面に設けられていることから、電子機器１の裏面１０側に存在する物体を撮像することが可能である。
【００５３】
レシーバ１６０は、受話音を出力するものであって、例えばダイナミックスピーカで構成されている。レシーバ１６０は、制御部１００からの電気的な音信号を音に変換して出力する。レシーバ１６０から出力される音は、電子機器１の前面に設けられたレシーバ穴７から外部に出力される。レシーバ穴７から出力される音の音量は、スピーカ穴８から出力される音の音量よりも小さくなっている。
【００５４】
電池２００は、電子機器１の電源を出力する。電池２００から出力された電源は、電子機器１が備える制御部１００及び無線通信部１１０などに含まれる各電子部品に対して供給される。
【００５５】
記憶部１０３には、様々なアプリケーションプログラム１０３ｂ（以後、単に「アプリケーション１０３ｂ」と呼ぶ）が記憶されている。記憶部１０３には、例えば、電話機能を用いて通話を行うための電話アプリケーション、ウェブサイトを表示するためのブラウザ、電子メールの作成・閲覧・送受信を行うためのメールアプリケーションが記憶されている。また、記憶部１０３には、テレビ番組を視聴及び録画するためのテレビアプリケーション、記憶部１０３に記憶されている動画像データの再生制御を行うための動画再生制御アプリケーション、記憶部１０３に記憶されている音楽データの再生制御を行うための音楽再生制御アプリケーションなどが記憶されている。
【００５６】
記憶部１０３内のメインプログラム１０３ａを実行している制御部１００が、記憶部１０３内のアプリケーション１０３ｂを読み出して実行すると、制御部１００は、無線通信部１１０、表示パネル１２０及びレシーバ１６０等の、電子機器１内の他の構成要素を制御し、それによって、当該アプリケーション１０３ｂに対応する機能（処理）が電子機器１で実行される。例えば、電話アプリケーションを実行している制御部１００は、無線通信部１１０、マイク１５０及びレシーバ１６０を制御する。これにより、電子機器１では、無線通信部１１０で受信された受信信号に含まれる音声がレシーバ１６０から出力されるとともに、マイク１５０に入力された音声を含む送信信号が無線通信部１１０から送信され、通信相手装置との間で電話機能を用いた通話が行われる。
【００５７】
＜表示領域に対する操作の種類について＞
ユーザが表示領域２ａに対して行う基本的な操作としては、例えば、スライド操作、タップ操作、フリック操作などがある。
【００５８】
スライド操作とは、指等の操作子が表示領域２ａに接触あるいは近接した状態で移動する操作である。つまり、スライド操作とは、操作子が表示領域２ａにおいて移動する操作である。ユーザは、表示領域２ａに対してスライド操作を行うことによって、例えば、表示領域２ａの表示をスクロールさせたり、表示領域２ａに表示されているページを別のページに切り換えたりすることができる。
【００５９】
このように、本実施の形態では、操作子が表示領域２ａにおいて移動する操作には、操作子が表示領域２ａに接触した状態で移動する操作と、操作子が表示領域２ａに近接した状態で移動する操作の両方を含む。
【００６０】
タップ操作とは、操作子が表示領域２ａに接触あるいは近接してからすぐに当該表示領域２ａから離れる操作である。詳細には、タップ操作とは、操作子が表示領域２ａに接触あるいは近接してから所定時間以内にその接触位置あるいは近接位置で当該表示領域２ａから離れる操作である。ユーザは、表示領域２ａに対してタップ操作を行うことによって、例えば、表示領域２ａに表示されているアプリケーション１０３ｂを実行するためのアプリケーションアイコン（以後、「アプリアイコン」と呼ぶ）を選択して、当該アプリケーション１０３ｂを電子機器１に実行させることができる。
【００６１】
フリック操作とは、表示領域２ａを操作子で払う操作である。詳細には、フリック操作とは、操作子が表示領域２ａに接触あるいは近接した状態で所定時間以内に所定距離以上移動して表示領域２ａから離れる操作である。ユーザは、表示領域２ａに対してフリック操作を行うことによって、例えば、表示領域２ａの表示を当該フリック操作の方向にスクロールさせたり、表示領域２ａに表示されているページを別のページに切り替えたりすることができる。
【００６２】
＜ユーザの電子機器の操作方法について＞
図４，５はユーザが電子機器１を操作する様子の一例を示す図である。図４は、ユーザが電子機器１を左手２０に持って表示領域２ａを左手２０の親指２１で操作している様子を示している。図５は、ユーザが電子機器１を右手３０に持って表示領域２ａを右手３０の親指３１で操作している様子を示している。
【００６３】
図４，５に示されるように、ユーザが電子機器１を片手で持って親指で表示領域２ａを操作する場合には、ユーザは表示領域２ａの端部を操作しにくいことがある。具体的には、ユーザは、表示領域２ａの端部に表示されている、アプリアイコン、ウェブページ中のリンク（「ハイパーリンク」とも呼ばれる）等の表示対象を親指で選択しにくいことがある。表示領域２ａが大きくなって大画面化が進むと、この問題は顕著になる。
【００６４】
そこで、本実施の形態に係る電子機器１は、パーソナルコンピュータ等で使用されるマウスカーソル（「マウスポインタ」とも呼ばれる）と同様のカーソル（ポインタ）を表示領域２ａに表示することが可能である。そして、ユーザは表示領域２ａを操作することによって表示領域２ａにおいてカーソルを移動することができる。これにより、ユーザは、図４，５のように片手で電子機器１を操作する場合であっても、簡単に電子機器１を操作することが可能となる。以下に、この点について詳細に説明する。
【００６５】
＜電子機器の動作モードについて＞
本実施の形態に係る電子機器１は、動作モードとして、カーソル表示モードと、拡大・縮小モードと、選択モードとを備えている。カーソル表示モードは、表示領域２ａにカーソルが表示されるモードである。拡大・縮小モードは、表示領域２ａの表示の拡大及び縮小が行われるモードである。そして、選択モードは、カーソル表示モード及び拡大・縮小モードのうちから電子機器１の動作モードとするモードを選択するためのモードである。以後、電子機器１がカーソル表示モード、拡大・縮小モード及び選択モードで動作していない状態を「通常モード」と呼ぶ。
【００６６】
制御部１００は、電子機器１の動作モードを決定する動作モード決定部として機能する。制御部１００は、動作モードが通常モードである場合に、表示領域２ａに対して所定操作が行われると、動作モードを選択モードに設定する。そして、電子機器１は、動作モードが選択モードである場合には、表示領域２ａに対する操作に応じて、動作モードを、カーソル表示モードに設定したり、拡大・縮小モードに設定したりする。
【００６７】
以下では、表示領域２ａにウェブページが表示されている場合を主に例に挙げて、電子機器１の各動作モードについて説明する。表示領域２ａにウェブページ以外が表示されている場合でも以下の説明と同様のことが言える。また、一例として、図５に示されるように、ユーザが電子機器１を右手３０に持って、右手３０の親指３１で表示領域２ａを操作する場合を想定して、以下に説明する図においては、表示領域２ａを操作する操作子６０としてユーザの右手の親指が示されている。操作子６０が他のものであっても、以下の説明と同様のことが言える。
【００６８】
＜通常モードについて＞
図６は表示領域２ａにウェブページが表示されている様子の一例を示す図である。図６の例では、ニュース情報を示すウェブページ５０が表示領域２ａに表示されている。ウェブページ５０には、複数のリンク（ハイパーリンク）が含まれている。図６においては、ウェブページ５０中のリンクには下線が示されている。記憶部１０３内のブラウザを実行する制御部１００は、無線通信部１１０を通じてウェブサーバからウェブページ５０を取得し、その後、表示パネル１２０を制御することによって、ウェブページ５０が表示領域２ａに表示される。
【００６９】
また、表示領域２ａには、ウェブページ５０以外にも、その上端部３００に、電子機器１の状態を示す情報が表示されている。図６の例では、表示領域２ａの上端部３００には、電子機器１の状態を示す情報として、電子機器１で計測されている現在時刻３００ａと、電池残量を通知するためのアイコン（図形）３００ｂと、通信状態を通知するためのアイコン３００ｃとが表示されている。
【００７０】
また、電子機器１において特定のイベントが発生すると、表示領域２ａの上端部３００には、当該イベントに関する情報が表示される。制御部１００は、電子機器１において特定のイベントが発生したことを検出すると、表示パネル１２０を制御することによって、当該イベントに関する情報を表示領域２ａに表示する。図６の例では、表示領域２ａの上端部３００には、電子機器１において発生したイベントに関する情報として、新しい電子メールの受信というイベントの発生を通知するためのアイコン３００ｄと、不在着信というイベントの発生を通知するためのアイコン３００ｅとが表示されている。
【００７１】
本実施の形態では、表示領域２ａの表示がオン状態の場合、表示領域２ａの上端部３００には、特定の一部のアプリケーション１０３ｂが実行されている以外において、電子機器１の状態を示す情報が常に表示される。表示領域２ａの上端部３００に、電子機器１の状態を示す情報が表示される際に、電子機器１において特定のイベントが発生している場合には当該イベントに関する情報も当該上端部３００に表示される。以後、表示領域２ａにおいて、電子機器１の状態を示す情報等が表示されている上端部３００を特に「通知領域３００」と呼ぶ。この通知領域３００は「ピクトエリア」と呼ばれている。
【００７２】
電子機器１の動作モードが通常モードの場合に、タッチパネル１３０が、表示領域２ａにおける、ウェブページ５０に含まれるリンクが表示されている部分に対して、操作子６０でタップ操作が行われたことを検出すると、制御部１００は、当該リンクがユーザによって選択されたと判断する。そして制御部１００は、無線通信部１１０を通じて該当のウェブサーバと通信することによって、当該リンクが示すウェブページを当該ウェブサーバから取得する。表示パネル１２０は、制御部１００で取得されたウェブページを、制御部１００による制御によって表示領域２ａに表示する。
【００７３】
このように、制御部１００及び表示パネル１２０は、表示領域２ａに表示されている表示対象の一つであるリンクに関連付けられている処理を実行する処理実行部として機能する。リンクには、当該リンクが示すウェブページを取得して表示する処理が関連付けられている。
【００７４】
また、電子機器１の動作モードが通常モードの場合に、タッチパネル１３０が、表示領域２ａにおける、通知領域３００及びリンクが表示されている部分以外の部分に対して、操作子６０によってタップ操作が所定時間内に連続して２回行われたことを検出すると、表示パネル１２０は、制御部１００による制御によって、表示領域２ａのうちタップ操作された部分を基点（中心）として表示領域２ａの表示を拡大する。連続する２回のタップ操作は「ダブルタップ操作」と呼ばれている。その後、表示領域２ａにおける、通知領域３００及びリンクが表示されている部分以外の部分に対して、操作子６０によってダブルタップ操作が行われたことをタッチパネル１３０が検出すると、表示パネル１２０は、表示領域２ａの表示を縮小して、拡大した表示領域２ａの表示をもとに戻す。
【００７５】
また、電子機器１の動作モードが通常モードである場合に、タッチパネル１３０が、表示領域２ａでの通知領域３００以外の部分に対して操作子６０で上下方向のスライド操作が行われたことを検出すると、表示パネル１２０は、制御部１００の制御によって、表示領域２ａでのウェブページ５０の表示をスクロールする。
【００７６】
また、電子機器１の動作モードが通常モードである場合に、タッチパネル１３０が、表示領域２ａでの通知領域３００以外の部分に対して操作子６０で上下方向のフリック操作が行われたことを検出すると、表示パネル１２０は、制御部１００の制御によって、表示領域２ａでのウェブページ５０の表示をスクロールする。
【００７７】
また、電子機器１の動作モードが通常モードである場合に、タッチパネル１３０が、表示領域２ａの通知領域３００が操作子６０で引き下ろされるような操作、つまり、通知領域３００を始点とした、表示領域２ａに対する操作子６０による下方向へのスライド操作を検出すると、表示パネル１２０は、制御部１００による制御によって、電子機器１において発生したイベントに関する情報を含む通知画像３１０を表示領域２ａに表示する。図７は、通知画像３１０の一例を示す図である。通知画像３１０は、表示領域２ａに対する下方向へのスライド操作に応じて徐々に下方向に延びるようにして表示される（プルダウン表示）。
【００７８】
図７に示されるように、通知画像３１０は、表示領域２ａにおける、通知領域３００以外の領域に表示される。図７の例では、通知画像３１０には、通知領域３００に表示されているアイコン３００ｅに対応して、不在着信の発生を通知するための文字列３１１ａ及びアイコン３１１ｂが含まれている。また、通知画像３１０には、通知領域３００に表示されているアイコン３００ｄに対応して、新しい電子メールの受信の発生を通知するための文字列３１２ａ及びアイコン３１２ｂが含まれている。
【００７９】
また通知画像３１０には、通知画像３１０を非表示とするための操作の始点となる非表示操作始点領域３１３が含まれている。非表示操作始点領域３１３を始点とした、表示領域２ａに対する操作子６０による上方向へのスライド操作をタッチパネル１３０が検出すると、表示パネル１２０は、表示領域２ａにおける通知画像３１０の表示を消去する。
【００８０】
＜選択モードについて＞
本実施の形態では、図８に示されるように、表示領域２ａの左側端部３２０及び右側端部３２１のそれぞれが、電子機器１の動作モードを選択モードに設定するための操作の始点となっている。なお明細書では、「左側」とは、表示領域２ａを見た際の左側を意味しており、「右側」とは、表示領域２ａを見た際の右側を意味している。
【００８１】
電子機器１の動作モードが通常モードである場合に、図８に示されるように、操作子６０が、表示領域２ａの右側端部３２１から選択モード設定方向３３０に所定距離（例えば１ｃｍ）以上移動したことがタッチパネル１３０で検出されると、制御部１００は、電子機器１の動作モードを選択モードに設定する。つまり、電子機器１の動作モードが通常モードである場合に、操作子６０によって表示領域２ａに対して右側端部３２１を始点として選択モード設定方向３３０に所定距離以上スライド操作されたことをタッチパネル１３０が検出すると、制御部１００は電子機器１の動作モードを選択モードに設定する。なお図８では、移動前の操作子６０が波線で示されている。以下の図でも同様である。
【００８２】
ここで、選択モード設定方向３３０とは、本例のように、操作子６０の移動が表示領域２ａの右側端部３２１から始まる場合には、当該右側端部３２１から内側に向かう方向である。具体的には、操作子６０の移動が表示領域２ａの右側端部３２１から始まる場合には、選択モード設定方向３３０は、表示領域２ａの右側端部３２１から内側に向かう、左右方向（上下方向に垂直な方向）に沿った方向である。
【００８３】
一方で、ユーザが左手に電子機器１を持って、左手の親指で表示領域２ａを操作する場合のように、操作子６０の移動が表示領域２ａの左側端部３２０から始まる場合には、選択モード設定方向３３０は、表示領域２ａの左側端部３２０から内側に向かう、左右方向に沿った方向である。したがって、電子機器１の動作モードが通常モードである場合に、ユーザが電子機器１を左手に持って、左手の親指を左右方向に沿って表示領域２ａの左側端部３２０から内側に移動させると、電子機器１の動作モードは選択モードとなる。制御部１００には、現在の動作モードを示す動作モード情報が記憶されている。制御部１００は、電子機器１の動作モードを変更した際には、それに応じて動作モード情報を更新する。
【００８４】
以後、電子機器１の動作モードを選択モードに設定するための、表示領域２ａに対する操作子６０による操作を「選択モード設定操作」と呼ぶ。本実施の形態では、選択モード設定操作は、上述のように、操作子６０が表示領域２ａの右側端部３２１あるいは左側端部３２０から選択モード設定方向３３０に所定距離以上移動する操作である。
【００８５】
図９は、電子機器１の動作モードが選択モードに設定された際の表示領域２ａの表示を示す図である。表示領域２ａに対して選択モード設定操作が行われて、電子機器１の動作モードが選択モードに設定されると、図９に示されるように、表示領域２ａにおいては、操作子６０が接触あるいは近接している部分の上側及び下側に、操作子６０と重ならないように、上方向に向く第１矢印３４０及び下方向に向く第２矢印３４１がそれぞれ表示される。そして、表示領域２ａには、操作子６０と重ならないようにカーソル３５０が第１矢印３４０に重ねられて表示され、操作子６０と重ならないように拡大境を示す拡大鏡図形３５１が第２矢印３４１に重ねられて表示される。表示パネル１２０が、表示領域２ａにおける、操作子６０が接触あるいは近接している部分以外に、第１矢印３４０、第２矢印３４１、カーソル３５０及び拡大鏡図形３５１を表示することによって、これらは操作子６０と重ならないように表示領域２ａに表示される。
【００８６】
このように、表示領域２ａでのカーソル３５０の表示が開始する際には、表示領域２ａに接触あるいは近接している操作子６０と重ならないようにカーソル３５０が表示領域２ａに表示される。したがって、カーソル３５０が操作子６０に隠れてどこに存在するか分からなくなることを抑制できる。
【００８７】
表示領域２ａに対して選択モード設定操作が行われた後、つまり、操作子６０が表示領域２ａの右側端部３２１あるいは左側端部３２０が選択モード設定方向３３０に移動した後、表示領域２ａに接触あるいは近接している操作子６０が表示領域２ａから離れたことがタッチパネル１３０で検出されると、制御部１００は、選択モードを解除して、電子機器１の動作モードを通常モードに設定する。これにより、ユーザは表示領域２ａから操作子６０を離すだけで簡単に選択モードを解除できる。
【００８８】
また、操作子６０が表示領域２ａの右側端部３２１あるいは左側端部３２０から選択モード設定方向３３０に移動した後（図９参照）、表示領域２ａに接触あるいは近接している操作子６０が、図１０に示されるように、選択モード設定方向３３０とは反対方向の選択モード解除方向３３１に移動したことがタッチパネル１３０で検出されると、制御部１００は、選択モードを解除して、電子機器１の動作モードを通常モードに設定する。これにより、ユーザは表示領域２ａにおいて操作子６０を選択モード解除方向３３１に移動させるだけで簡単に選択モードを解除できる。
【００８９】
電子機器１の動作モードが選択モードから通常モードに変更されると、第１矢印３４０、第２矢印３４１、カーソル３５０及び拡大鏡図形３５１の表示は消去される。
【００９０】
電子機器１が選択モードである場合に、図１１に示されるように、表示領域２ａにおいて、操作子６０が、第１矢印３４０が示す方向（上方向）と同じ方向に所定距離以上移動したことがタッチパネル１３０で検出されると、制御部１００は電子機器１の動作モードをカーソル表示モードに設定する。以後、カーソル表示モードに設定するための操作子６０の移動方向を「カーソル表示モード設定方向３６０」と呼ぶ。本実施の形態では、カーソル表示モード設定方向３６０は、第１矢印３４０が示す方向と同じ方向、つまり上方向となっている。
【００９１】
操作子６０が表示領域２ａにおいてカーソル表示モード設定方向３６０に移動すると、表示パネル１２０は、制御部１００による制御によって、操作子６０の移動に応じて、表示領域２ａにおいてカーソル３５０をカーソル表示モード設定方向３６０に移動させる。具体的には、表示パネル１２０は、操作子６０の移動量よりも大きく、表示領域２ａにおいてカーソル３５０をカーソル表示モード設定方向３６０に移動させる。これにより、操作子６０がカーソル表示モード設定方向３６０に移動したとしても、図１１に示されるように、カーソル３５０が操作子６０と重なることを抑制できる。
【００９２】
以後、電子機器１をカーソル表示モードに設定するための、表示領域２ａに対する操作子６０による操作を「カーソル表示モード設定操作」と呼ぶ。本実施の形態では、カーソル表示モード設定操作は、上述のように、操作子６０がカーソル表示モード設定方向３６０に所定距離以上移動する操作である。
【００９３】
一方で、電子機器１が選択モードである場合に、図１２に示されるように、表示領域２ａにおいて、操作子６０が、第２矢印３４１が示す方向（下方向）と同じ方向に所定距離以上接触移動したことがタッチパネル１３０で検出されると、制御部１００は電子機器１の動作モードを拡大・縮小モードに設定する。
【００９４】
以後、拡大・縮小モードに設定するための操作子６０の移動方向を「拡大・縮小モード設定方向３６１」と呼ぶ。本実施の形態では、拡大・縮小モード設定方向３６１は、第２矢印３４１が示す方向と同じ方向、つまり下方向となっている。また、電子機器１を拡大・縮小モードに設定するための、表示領域２ａに対する操作子６０による操作を「拡大・縮小モード設定操作」と呼ぶ。本実施の形態では、拡大・縮小モード設定操作は、操作子６０が拡大・縮小モード設定方向３６１に所定距離以上移動する操作である。
【００９５】
このように、本実施の形態では、電子機器１の動作モードをカーソル表示モードに設定するためのカーソル表示モード設定方向３６０と同じ方向に向く第１矢印３４０が表示領域２ａに表示されるため、ユーザは、表示領域２ａの表示を参照して電子機器１の動作モードをカーソル表示モードに設定し易くなる。また、電子機器１の動作モードを拡大・縮小モードに設定するための拡大・縮小モード設定方向３６１と同じ方向に向く第２矢印３４１が表示領域２ａに表示されるため、ユーザは、表示領域２ａの表示を参照して電子機器１の動作モードを拡大・縮小モードに設定し易くなる。
【００９６】
なお、本実施の形態では、表示領域２ａに対して選択モード設定操作が行われた後、表示領域２ａに接触あるいは近接している操作子６０が表示領域２ａから離れると選択モードが解除されることから、電子機器１の動作モードをカーソル表示モードに設定するためには、表示領域２ａに対して選択モード設定操作が行われた後、操作子６０は表示領域２ａから離れずにカーソル表示モード設定方向３６０に移動する必要がある。
【００９７】
同様にして、電子機器１の動作モードを拡大・縮小モードに設定するためには、表示領域２ａに対して選択モード設定操作が行われた後、操作子６０は表示領域２ａから離れずに拡大・縮小モード設定方向３６１に移動する必要がある。
【００９８】
＜カーソル表示モードについて＞
電子機器１がカーソル表示モードで動作する際には、表示パネル１２０は、タッチパネル１３０が検出する、表示領域２ａでの操作子６０の移動に応じて、カーソル３５０を表示領域２ａにおいて移動する。これにより、ユーザは、操作子６０を表示領域２ａにおいて移動させることによって、表示領域２ａにおいてカーソル３５０を移動させることができる。図１３はその様子を示す図である。なお、説明のために、図１３では移動前のカーソル３５０が白抜きの矢印で示されている。以下の図でも同様である。
【００９９】
カーソル表示モードでは、表示パネル１２０は、タッチパネル１３０が検出する、表示領域２ａでの操作子６０の移動についての移動方向と同じ方向にカーソル３５０を移動する。また、カーソル表示モードでは、表示パネル１２０は、タッチパネル１３０が検出する、表示領域２ａでの操作子６０の移動について移動量よりも大きくカーソル３５０を移動する。例えば、表示パネル１２０は、タッチパネル１３０が検出する、表示領域２ａでの操作子６０の移動についての移動量の３倍、あるいはそれ以上、カーソル３５０を移動する。これより、ユーザは、パーソナルコンピュータにおいてマウスを移動させてディスプレイ中のマウスカーソルを移動させるように、表示領域２ａにおいて操作子６０を移動させて表示領域２ａ中のカーソル３５０を移動させることができる。
【０１００】
また、カーソル表示モードでは、操作子６０が表示領域２ａにおいて移動することによって、カーソル３５０の先端が表示領域２ａ中の表示対象の上まで移動した後に、操作子６０が表示領域２ａから離れたことをタッチパネル１３０が検出すると、電子機器１は、表示領域２ａにおいてカーソル３５０が指し示す当該表示対象に関連付けられた処理を実行する。これにより、ユーザは、カーソル３５０を使用して、表示領域２ａの表示対象を選択して、当該表示対象に関連付けられている処理を電子機器１に実行させることができる。カーソル表示モードでは、操作子６０が表示領域２ａから離れる操作が、通常モードでのタップ操作に相当する。
【０１０１】
例えば、ユーザが表示領域２ａにおいて操作子６０を移動させることによって、図１３に示されるように、カーソル３５０の先端がウェブページ５０中のリンク（表示対象）の上に位置するようにカーソル３５０が移動し、その後、操作子６０が表示領域２ａから離れたことをタッチパネル１３０が検出すると、カーソル３５０が指し示す当該リンクが選択されて、電子機器１は、当該リンクに関連付けられた処理を実行する。つまり、電子機器１は、選択されたリンクが示すウェブページをウェブサーバから取得して表示領域２ａに表示する。なお、カーソル３５０がリンクを指し示す場合、つまりカーソル３５０の先端がリンクの上に位置するようになった場合には、ユーザがそれを理解できるように、表示パネル１２０は、リンクの表示色を変化させたり、リンクの周囲の表示色を変化させたりするなどして、当該リンクにフォーカスを与えても良い。
【０１０２】
また、図１４に示されるように、表示領域２ａにアプリアイコン３７０が表示されている場合には、ユーザが表示領域２ａにおいて操作子６０を移動させることによって、カーソル３５０の先端がアプリアイコン３７０（表示対象）の上に位置するようにカーソル３５０が移動し、その後、操作子６０が表示領域２ａから離れたことをタッチパネル１３０が検出すると、カーソル３５０が指し示す当該アプリアイコン３７０が選択されて、電子機器１は、当該アプリアイコン３７０に関連付けられた処理を実行する。つまり、制御部１００は、選択されたアプリアイコン３７０に対応するアプリケーション１０３ｂを記憶部１０３から読み出して実行する。この場合には、制御部１００が、表示領域２ａ中の表示対象に関連付けられた処理を実行する処理実行部として機能する。
【０１０３】
また、図１５に示されるように、電子メールの作成で使用される文字入力ボタン３８０が表示領域２ａに表示されている場合には、ユーザが表示領域２ａにおいて操作子６０を移動させることによって、カーソル３５０の先端が文字入力ボタン３８０（表示対象）の上に位置するようにカーソル３５０が移動し、その後、操作子６０が表示領域２ａから離れたことをタッチパネル１３０が検出すると、カーソル３５０が指し示す当該文字入力ボタン３８０が選択されて、電子機器１は、当該文字入力ボタン３８０に関連付けられた処理を実行する。つまり、電子機器１では、制御部１００が作成中の電子メールに、選択された文字入力ボタン３８０に対応付けられた文字を含めるとともに、表示パネル１２０が当該文字を表示領域２ａに表示する。この場合には、制御部１００及び表示パネル１２０が、表示領域２ａ中の表示対象に関連付けられた処理を実行する処理実行部として機能する。
【０１０４】
このように、本実施の形態に係る電子機器１では、表示領域２ａに表示されたリンク及びアプリアイコン等の表示対象に関連付けられた処理を実行するためのカーソル３５０が、操作子６０の移動量よりも大きく移動する。したがって、ユーザは、電子機器１を片手で持つ場合であって（図４，５参照）、その片手の親指（操作子）が表示領域２ａの端部を操作することが困難な場合であっても、当該親指を少し移動させるだけで、カーソル３５０を表示領域２ａの端部にまで移動させることができる。これにより、ユーザは、電子機器１を持つ片手の親指が表示領域２ａの端部を操作することが困難な場合であっても、表示領域２ａの端部に表示されている表示対象に関連付けられている処理を電子機器１に実行させることができる。よって、ユーザは電子機器１を片手で操作する場合であっても、簡単に電子機器１を操作することができる。その結果、電子機器１の操作性が向上する。
【０１０５】
また、本実施の形態に係る電子機器１では、表示領域２ａにおいてカーソル３５０がリンク等の表示対象を指し示すように操作子６０が表示領域２ａにおいて移動した後に表示領域２ａから離れたことがタッチパネル１３０で検出されると、当該カーソル３５０が指し示す表示対象に関連付けられた処理が実行される。したがって、ユーザは操作子６０を移動させてカーソル３５０を表示対象まで移動させた後、操作子６０を表示領域２ａから離すだけで、カーソル３５０が指し示す表示対象に関連付けられた処理を電子機器１に実行させることができる。よって、ユーザによる電子機器１の操作が非常に簡単となる。つまり、電子機器１の操作性が向上する。
【０１０６】
なお、操作子６０の移動量とカーソルの移動量との関係は、ユーザが表示領域２ａを操作子６０で操作することによって変更できるようにしても良い。
【０１０７】
＜カーソル表示モードの解除＞
本実施の形態では、カーソル表示モードにおいて、操作子６０が表示領域２ａから離れたことがタッチパネル１３０で検出されると、制御部１００はカーソル動作モードを解除して、電子機器１の動作モードを通常モードに設定する。これにより、ユーザは、操作子６０を表示領域２ａから離すだけでカーソル表示モードを簡単に解除することができる。本実施の形態に係る電子機器１では、カーソル３５０がリンク等の表示対象を指し示す状態で操作子６０が表示領域２ａから離れると、当該表示対象に関連付けられた処理が実行されるとともに、カーソル表示モードが解除する。
【０１０８】
なお、制御部１００は、操作子６０が表示領域２ａから離れたときにカーソル動作モードを解除する代わりに、あるいはそれに加えて、表示領域２ａに対する操作子６０によるフリック操作がタッチパネル１３０で検出されると、カーソル動作モードを解除して、電子機器１の動作モードを通常モードに設定しても良い。これにより、ユーザは、表示領域２ａに対して操作子６０でフリック操作を行うだけで、カーソル表示モードを簡単に解除することができる。制御部１００は、タッチパネル１３０で所定方向のフリック操作が検出されると、カーソル表示モードを解除しても良いし、タッチパネル１３０でフリック操作が検出さると、その方向にかかわらず、カーソル表示モードを解除しても良い。また、制御部１００は、カーソル表示モードを解除するフリック操作の所定方向としては、一方向（例えば上方向）としても良いし、複数方向（例えば、上方向、下方向、右方向及び左方向）としても良い。
【０１０９】
＜カーソル表示モードでの拡大・縮小表示＞
本実施の形態では、カーソル表示モードにおいて、操作子６０が表示領域２ａに接触あるいは近接した状態で所定時間以上（例えば１秒以上）移動しないことをタッチパネル１３０が検出すると、表示パネル１２０は、表示領域２ａでのカーソル３５０の周辺を拡大して示す拡大画像（拡大画面）３９０を表示する。この拡大画像３９０は、表示領域２ａに現在表示されている表示画面に重ねて表示される。図１６は表示領域２ａに拡大画像３９０が表示されている様子を示す図である。
【０１１０】
このように、表示領域２ａには、カーソル３５０の周辺を拡大して示す拡大画像３９０が表示されることから、ユーザは、拡大画像３９０中に大きく示されたリンク等の表示対象をカーソル３５０で指し示すことによって、当該表示対象に関連付けられた処理を電子機器１に実行させることができる。よって、操作子６０の操作が簡単となり、電子機器１の操作性が向上する。
【０１１１】
なお、表示パネル１２０は、表示領域２ａにおいて、拡大画像３９０の背景にあるもともとの表示画面が拡大画像３９０よりも暗く視認されるように、当該表示画面の輝度を、拡大画像３９０が表示される前よりも低くしても良い。
【０１１２】
操作子が表示領域２ａで移動することによって、図１７に示されるように、拡大画像３９０中のカーソル３５０が拡大画像３９０の表示外に移動した際には、表示パネル１２０は、拡大画像３９０の表示を消去する。
【０１１３】
また、本実施の形態では、図１８に示されるように、操作子６０が表示領域２ａに接触あるいは近接した状態で所定時間内に往復移動したことをタッチパネル１３０が検出すると、表示パネル１２０は、表示領域２ａの表示を予め定められた倍率で拡大する。具体的には、操作子６０が、表示領域２ａに接触あるいは近接した状態で、所定時間内において、ある方向に所定距離以上接触移動し、その後、当該ある方向とは反対方向に所定距離以上接触移動したことをタッチパネル１３０が検出すると、表示パネル１２０は、表示領域２ａの表示を拡大する。
【０１１４】
また、本実施の形態では、表示領域２ａの表示が拡大されている際に、操作子６０が表示領域２ａに接触あるいは近接した状態で所定時間内に往復移動したことをタッチパネル１３０が再度検出すると、表示パネル１２０は表示領域２ａの表示を縮小して表示サイズを元に戻す。
【０１１５】
表示パネル１２０は、表示領域２ａの表示を拡大及び縮小する際には、表示領域２ａの中心を基点にして表示領域２ａの表示を拡大及び縮小しても良い。また、表示パネル１２０は、操作子６０が所定時間内に往復移動した際の操作子６０の最初の位置（往復移動を開始したときの位置）を基点にして表示領域２ａの表示を拡大及び縮小しても良い。また、表示パネル１２０は、操作子６０が所定時間内に往復移動した際の操作子６０の最後の位置（往復移動が終了したときの位置）を基点にして表示領域２ａの表示を拡大及び縮小しても良い。
【０１１６】
＜カーソル表示モードでの通知画像の表示＞
本実施の形態では、カーソル表示モードにおいて、図１９に示されるように、操作子６０が表示領域２ａにおいて移動することによって通知領域３００にカーソル３５０が移動し、その後、操作子６０が表示領域２ａから離れたことをタッチパネル１３０が検出すると、上述の図７に示されるように、表示パネル１２０は、表示領域２ａにおける通知領域３００以外の領域に通知画像３１０を表示する。これにより、ユーザは、通知領域３００にカーソル３５０が位置する状態で操作子６０を表示領域２ａから離すだけで通知画像３１０を簡単に電子機器１に表示させることができる。
【０１１７】
また、カーソル表示モードにおいて、図２０に示されるように、カーソル３５０が表示領域２ａの通知領域３００まで移動し、その後、通知領域３００から表示領域２ａ外へ向かう方向へカーソル３５０を移動させるような操作子６０の移動をタッチパネル１３０が検出すると、表示パネル１２０は、表示領域２ａにおける通知領域３００以外の領域に通知画像３１０を表示しても良い。つまり、カーソル３５０を、表示領域２ａの通知領域３００を通過させて、表示領域２ａの上端から表示領域２ａ外まで移動させるような操作子６０の移動をタッチパネル１３０が検出すると、表示パネル１２０は通知画像３１０を表示しても良い。これにより、ユーザは、操作子６０を表示領域２ａで移動させるだけで、通知画像３１０を簡単に電子機器１に表示させることができる。
【０１１８】
また、カーソル表示モードにおいて、図２１に示されるように、通知領域３００に向かう方向３９５（本例では上方向）への操作子６０による表示領域２ａに対するフリック操作をタッチパネル１３０が検出すると、表示パネル１２０は、表示領域２ａにおける通知領域３００以外の領域に通知画像３１０を表示しても良い。このとき、制御部１００は、カーソル動作モードを解除して、電子機器１の動作モードを通常モードに設定しても良い。
【０１１９】
＜拡大・縮小モードについて＞
上述のように、選択モードにおいて、操作子６０によって拡大・縮小モード設定操作が表示領域２ａに行われると、電子機器１の動作モードが拡大・縮小モードに設定される。拡大・縮小モードでは、図２２に示されるように、表示パネル１２０は、表示倍率を制御するためのズームコントロールバー４００（「ズームスライダー」とも呼ばれる）を表示領域２ａに表示する。ズームコントロールバー４００には、現在設定されている表示倍率を示す設定バー４１０が示されている。表示パネル１２０は、ズームコントロールバー４００が、表示領域２ａに接触している操作子６０と重ならずかつ当該操作子６０の近傍に表示されるように、表示領域２ａにおいて操作子６０が接触あるいは近接している部分の近くにズームコントロールバー４００を表示する。ズームコントロールバー４００は、表示領域２ａにおいて、操作子６０が接触あるいは近接している部分の横に設定バー４１０が位置するように表示される。拡大・縮小モードにおいては、表示領域２ａの中心を基点として表示領域２ａの表示が拡大及び縮小される。
【０１２０】
図２３に示されるように、操作子６０が表示領域２ａで上方向に移動したことがタッチパネル１３０で検出されると、つまり上方向へのスライド操作がタッチパネル１３０で検出されると、表示パネル１２０は、制御部１００による制御によって、表示領域２ａの表示を拡大する。このとき、表示パネル１２０は、操作子６０の移動距離に応じて表示倍率を変化させる。また、表示パネル１２０は、変化後の表示倍率に応じてズームコントロールバー４００での設定バー４１０の位置を変更する。以後、拡大・縮小モードにおいて、表示領域２ａの表示を拡大するための、表示領域２ａに対する操作子６０による操作を「拡大実行操作」と呼ぶ。本実施の形態では、拡大実行操作は、操作子６０が表示領域２ａで上方向に移動する操作である。
【０１２１】
また、図２４に示されるように、操作子６０が表示領域２ａで下方向に移動したことがタッチパネル１３０で検出されると、つまり下方向へのスライド操作がタッチパネル１３０で検出されると、表示パネル１２０は、制御部１００による制御によって、表示領域２ａの表示を縮小する。このとき、表示パネル１２０は、操作子６０の移動距離に応じて表示倍率を変化させる。また、表示パネル１２０は、変化後の表示倍率に応じてズームコントロールバー４００での設定バー４１０の位置を変更する。以後、拡大・縮小モードにおいて、表示領域２ａの表示を縮小するための、表示領域２ａに対する操作子６０による操作を「縮小実行操作」と呼ぶ。本実施の形態では、縮小実行操作は、操作子６０が表示領域２ａで下方向に移動する操作である。
【０１２２】
本実施の形態では、拡大・縮小モードにおいて、操作子６０が表示領域２ａから離れたことが検出されると、制御部１００は、拡大・縮小モードを解除して、電子機器１の動作モードを通常モードに設定する。これにより、ユーザは操作子６０を表示領域２ａから離すだけで、拡大・縮小モードを簡単に解除することができる。拡大・縮小モードが解除されたときの表示領域２ａでの表示倍率については、拡大・縮小モードで最後に設定された表示倍率とすることが望ましい。
【０１２３】
なお、拡大・縮小モードでは、図２５に示されるように、ズームコントロールバー４００の代わりに上矢印４１５及び下矢印４１７が表示領域２ａに表示されても良い。上矢印４１５及び下矢印４１７は、表示領域２ａにおいて操作子６０が接触あるいは近接している部分の上側及び下側にそれぞれ表示される。図２５の例では、拡大処理を示す図形４１６が上矢印４１５に重ねられて表示され、縮小処理を示す図形４１８が下矢印４１７に重ねられて表示されている。上矢印４１５、下矢印４１７及び図形４１６、４１８は、操作子６０と重ならないように表示されることが望ましい。
【０１２４】
図２５のような表示例であっても、上記と同様にして、操作子６０の表示領域２ａでの移動に応じて表示領域２ａの表示が拡大あるいは縮小される。つまり、操作子６０が表示領域２ａで上方向に移動したことがタッチパネル１３０で検出されると、表示パネル１２０は、操作子６０の移動量に応じた倍率で表示領域２ａの表示を拡大する。操作子６０が表示領域２ａで上方向に移動している際には、上矢印４１５の表示態様が変更されても良い。例えば、上矢印４１５の大きさが大きくなったり、上矢印４１５の表示色が変化したりしても良い。また、操作子６０が表示領域２ａで下方向に移動したことがタッチパネル１３０で検出されると、表示パネル１２０は、操作子６０の移動量に応じた倍率で表示領域２ａの表示を縮小する。操作子６０が表示領域２ａで下方向に移動している際には、下矢印４１７の表示態様が変更されても良い。例えば、下矢印４１７の大きさが大きくなったり、下矢印４１７の表示色が変化したりしても良い。
【０１２５】
このように、本実施の形態に係る電子機器１では、操作子６０が表示領域２ａで移動すると、その移動方向に応じて表示領域２ａの表示が拡大されたり縮小されたりすることから、ユーザは電子機器１に対する簡単な操作で表示領域２ａの表示を拡大させたり縮小させたりすることができる。
【０１２６】
なお、以上に説明した選択モード設定操作、カーソル表示モード設定操作及び拡大・縮小モード設定操作は一例であって、これらの操作として、表示領域２ａに対する操作子６０による他の操作を採用しても良い。例えば、選択モード設定操作として、表示領域２ａに対して所定時間内に連続して３回以上タップ操作が行われる操作としても良い。
【０１２７】
また、本実施の形態に係る選択モード設定方向３３０、カーソル表示モード設定方向３６０及び拡大・縮小モード設定方向３６１についても一例であって、これらの方向として他の方向を採用しても良い。例えば、カーソル表示モード設定方向３６０及び拡大・縮小モード設定方向３６１を、それぞれ左上方向及び右上方向としても良い。
【０１２８】
また、選択モード、カーソル表示モード及び拡大・縮小モードを解除するための、表示領域２ａに対する操作子６０による操作についても一例であって、これらの操作として、表示領域２ａに対する操作子６０による他の操作を採用しても良い。また、本実施の形態に係る拡大・縮小モードでの拡大実行操作及び縮小実行操作での操作子６０の移動方向についても一例であって、これらの移動方向として、他の方向を採用しても良い。また、以上に説明した拡大・縮小モードでの拡大実行操作及び縮小実行操作についても一例であって、これらの操作として、表示領域２ａに対する操作子６０による他の操作を採用しても良い。
【０１２９】
＜各種変形例＞
以下に、本実施の形態に係る電子機器１の各種変形例について説明する。
【０１３０】
＜表示領域２ａに対する受付領域の設定＞
本変形例では、制御部１００は、電子機器１の動作モードがカーソル表示モードに設定された際に、表示領域２ａにおいてカーソル３５０を移動させるための操作子６０の移動が受け付けられる受付領域４２０を表示領域２ａに対して設定する。そして、表示パネル１２０は、操作子６０が受付領域４２０において移動するときにだけカーソル３５０を移動させる。したがって、受付領域４２０は、パーソナルコンピュータ等で使用されるマウスがその上で移動させられるマウスパッドのような役割を果たしている。
【０１３１】
図２６は受付領域４２０が表示領域２ａに対して設定されている様子を示す図である。表示領域２ａに対してカーソル表示モード設定操作が行われると、制御部１００は、当該カーソル表示モード設定操作での操作子６０の移動が終了した時点において、操作子６０が表示領域２ａにおいて接触あるいは近接している部分を含むように受付領域４２０を表示領域２ａに設定する。表示パネル１２０は、操作子６０が受付領域４２０において移動するときにだけ、上述のようにしてカーソル３５０を移動させる。
【０１３２】
また本変形例では、制御部１００は、操作子６０が表示領域２ａから離れたことがタッチパネル１３０で検出されるとカーソル表示モードを解除するのではなく、受付領域４２０に対して操作子６０が所定時間以上（例えば２秒以上）操作していないことをタッチパネル１３０が検出するとカーソル表示モードを解除する。
【０１３３】
また本変形例に係る電子機器１は、表示領域２ａでの受付領域４２０以外の領域に対する操作子６０による操作については、通常モードでの表示領域２ａに対する操作子６０による操作と同様に扱う。例えば、表示領域２ａでの受付領域４２０以外の領域において、ウェブページ中のリンクが表示されている部分に対してタップ操作が行われると、電子機器１では、当該リンクが示すウェブページがウェブサーバから取得されて表示領域２ａに表示される。また、表示領域２ａでの受付領域４２０以外の領域に対して上下方向に沿ったスライド操作が行われると、表示領域２ａの表示がスクロールする。
【０１３４】
受付領域４２０については、その範囲が特定できるような表示を表示領域２ａで行っても良いし、行わなくても良い。図２７は、受付領域４２０の範囲が特定できるように、表示パネル１２０が当該受付領域４２０を示す受付領域画像４３０を表示領域２ａに表示している様子を示す図である。図２７に示されるように、受付領域画像４３０は、表示領域２ａがもともと表示している表示画面（受付領域画像４３０が表示される前の表示画面）に重ねられて表示される。受付領域画像４３０の大きさは、受付領域４２０の大きさと同じであって、表示領域２ａでの受付領域画像４３０の表示位置は、表示領域２ａにおける受付領域４２０の位置と同じである。
【０１３５】
受付領域画像４３０については、表示領域２ａでの受付領域４２０の位置及び範囲が分かれば、どのような画像であっても良い。例えば、受付領域画像４３０として、その背景（下側）の画像が見えるように透過画像が表示されても良い。このとき、受付領域画像４３０が光って見えるように、輝度の高い透過画像が受付領域画像４３０として表示されても良い。また、受付領域４２０の大きさと同じ大きさの枠だけを示す画像を受付領域画像４３０として表示されても良い。このときには、受付領域画像４３０が示す枠の内側には、表示領域２ａがもともと表示していた表示画面の一部が表示されることになる。また、表示領域２ａに表示されている、カーソル３５０を含む表示画面を縮小した縮小画面を受付領域画像４３０として表示されても良い。図２８はその様子を示す図である。
【０１３６】
図２８に示されるように、表示領域２ａに表示されている表示画面を縮小した縮小画面を受付領域画像４３０として表示される場合には、受付領域画像４３０においてカーソル３５０の縮小版４５０が示される。このカーソル３５０の縮小版４５０は、表示領域２ａでカーソル３５０が移動すると受付領域画像４３０内で移動することになる。したがって、ユーザは、受付領域画像４３０中のカーソル３５０の縮小版４５０を見ることによって、表示領域２ａ中でのカーソル３５０の位置を特定することができる。そのため、ユーザは、受付領域４２０上を移動させている操作子６０付近を見ることによって、表示領域２ａ中でのカーソル３５０の位置を特定することができる。よって、電子機器１に対する操作が容易となる。
【０１３７】
また、受付領域画像４３０については、電子機器１がカーソル表示モードで動作する間ずっと表示されても良いし、一時的に表示されても良い。つまり、電子機器は、カーソル表示モードにおいて、表示領域２ａに設定されている受付領域４２０の位置及び範囲をユーザに常に通知しても良いし、一時的だけ通知しても良い。
【０１３８】
表示領域２ａに受付領域画像４３０が一時的に表示される際には、電子機器１の動作モードがカーソル表示モードに設定された時点から一定時間、受付領域画像４３０が表示されるようにしても良い。また、受付領域４２０を操作子６０が操作しなくなった後、操作子６０が受付領域４２０を再度操作するようになった時点から一定時間、受付領域画像４３０が表示されても良い。
【０１３９】
＜動作モードの変形例＞
電子機器１は、動作モードとして、拡大・縮小モードを備えていなくても良い。この場合には、選択モードは不要となる。また、この場合には、例えば、上述の選択モード設定操作と同じ操作が、カーソル表示モード設定操作として採用されても良い。
【０１４０】
選択モード設定操作と同じ操作が、カーソル表示モード設定操作として採用される場合には、電子機器１の動作モードが通常モードである場合に、操作子６０が、表示領域２ａの右側端部３２１から内側に所定距離以上移動したことがタッチパネル１３０で検出されると、制御部１００は、電子機器１の動作モードをカーソル表示モードに設定する。また、電子機器ｓ１００の動作モードが通常モードである場合に、操作子６０が、表示領域２ａの左側端部３２０から内側に所定距離以上移動したことがタッチパネル１３０で検出されると、制御部１００は、電子機器１の動作モードをカーソル表示モードに設定する。そして、上述の選択モードを解除する場合と同様に、操作子６０が表示領域２ａの右側端部３２１あるいは左側端部３２０から内側に接触移動した後、表示領域２ａに接触あるいは近接している操作子６０が、表示領域２ａから離れずに、右側端部３２１あるいは左側端部３２０の方に移動したことがタッチパネル１３０で検出されると、制御部１００はカーソル表示モードを解除する。
【０１４１】
また、電子機器１が選択モードで動作する際に選択されるモードの種類として、カーソル表示モード及び拡大・縮小モード以外のモードを電子機器１は備えていても良い。例えば、電子機器１は、アプリアイコン等、処理（機能）が関連付けられた表示対象が表示される表示モードを備えていても良い。以下に、この場合の電子機器１の変形例について詳細に説明する。以後、当該表示モードを、カーソル表示モードと区別するために、第２表示モードと呼ぶ。
【０１４２】
本変形例に係る電子機器１は、第２表示モードとして、最近実行されたアプリケーション１０３ｂを実行するためのアプリアイコンが表示される第１アイコン表示モードと、ユーザによって選択されたアプリアイコンが表示される第２アイコン表示モードとを備えている。電子機器１の動作モードが選択モードである場合には、カーソル表示モード、拡大・縮小モード、第１アイコン表示モード及び第２アイコン表示モードのいずれか一つがユーザによって選択される。以後、第１アイコン表示モードと第２アイコン表示モードを特に区別する必要がない場合には、それぞれを単に「アイコン表示モード」と呼ぶ。本変形例では、電子機器１がカーソル表示モード、拡大・縮小モード、第１アイコン表示モード、第２アイコン表示モード及び選択モードで動作していない状態が、通常モードとなる。
【０１４３】
本変形例では、表示領域２ａに対する操作子６０による選択モード設定操作がタッチパネル１３０で検出されて、電子機器１の動作モードが選択モードに設定されると、図２９に示されるように、表示領域２ａにおいては、第１矢印３４０及び第２矢印３４１以外に、操作子６０が接触あるいは近接している部分の左側及び右側に、左方向に向く第３矢印３４２及び右方向に向く第４矢印３４３がそれぞれ表示される。
【０１４４】
そして、電子機器１が選択モードである場合に、図３０に示されるように、表示領域２ａにおいて、操作子６０が、第３矢印３４２が示す方向（左方向）と同じ方向の第１アイコン表示モード設定方向３６２に移動したことがタッチパネル１３０で検出されると、制御部１００は電子機器１の動作モードを第１アイコン表示モードに設定する。以後、電子機器１を第１アイコン表示モードに設定するための、表示領域２ａに対する操作子６０による操作を「第１アイコン表示モード設定操作」と呼ぶ。本実施の形態では、「第１アイコン表示モード設定操作」は、上述のように、操作子６０が第１アイコン表示モード設定方向３６２に移動する操作である。
【０１４５】
また、電子機器１が選択モードである場合に、図３１に示されるように、表示領域２ａにおいて、操作子６０が、第４矢印３４３が示す方向（右方向）と同じ方向の第２アイコン表示モード設定方向３６３に移動したことがタッチパネル１３０で検出されると、制御部１００は電子機器１の動作モードを第２アイコン表示モードに設定する。
【０１４６】
以後、電子機器１を第２アイコン表示モードに設定するための、表示領域２ａに対する操作子６０による操作を「第２アイコン表示モード設定操作」と呼ぶ。本実施の形態では、「第２アイコン表示モード設定操作」は、操作子６０が第２アイコン表示モード設定方向３６３に移動する操作である。
【０１４７】
なお、本変形例においても、表示領域２ａに対して選択モード設定操作が行われた後、表示領域２ａに接触あるいは近接している操作子６０が表示領域２ａから離れたことがタッチパネル１３０で検出されると、制御部１００は、選択モードを解除する。
【０１４８】
また、操作子６０が表示領域２ａの右側端部３２１あるいは左側端部３２０から選択モード設定方向３３０に移動した後、表示領域２ａに接触あるいは近接している操作子６０が、上述の図１０に示されるように、選択モード設定方向３３０とは反対方向の選択モード解除方向３３１に移動したことがタッチパネル１３０で検出されると、制御部１００は選択モードを解除する。
【０１４９】
ただし、本例のように、選択モード解除方向３３１と、第２アイコン表示モード設定方向３６３とが一致する場合には、選択モードを解除するための操作と、第２アイコン表示モード設定操作とが競合することになる。したがって、この場合には、制御部１００は、操作子６０の移動距離に応じて、選択モードを解除するか、電子機器１の動作モードを第２アイコン表示モードに設定するかを決定する。
【０１５０】
具体的には、操作子６０が表示領域２ａの右側端部３２１あるいは左側端部３２０から選択モード設定方向３３０に移動した後、当該操作子６０が、表示領域２ａから離れずに、選択モード解除方向３３１（第２アイコン表示モード設定方向３６３）に所定距離以上移動したことがタッチパネル１３０で検出されると、制御部１００は選択モードを解除する。
【０１５１】
一方で、操作子６０が表示領域２ａの右側端部３２１あるいは左側端部３２０から選択モード設定方向３３０に移動した後、当該操作子６０が、表示領域２ａから離れずに、第２アイコン表示モード設定方向３６３（選択モード解除方向３３１）に所定距離未満のみ移動したことがタッチパネル１３０で検出されると、制御部１００は電子機器１の動作モードを第２アイコン表示モードに設定する。つまり、操作子６０が表示領域２ａの右側端部３２１あるいは左側端部３２０から選択モード設定方向３３０に接触移動した後、当該操作子６０が、表示領域２ａから離れずに、第２アイコン表示モード設定方向３６３に所定距離未満移動して停止したことがタッチパネル１３０で検出されると、制御部１００は電子機器１の動作モードを第２アイコン表示モードに設定する。
【０１５２】
図３２はアイコン表示モードでのアプリアイコン３７０の表示例を示す図である。図３２に示されるように、アイコン表示モードでは、例えば、複数のアプリアイコン３７０が表示領域２ａの中央部に表示される。第１アイコン表示モードでは、最近実行されたアプリケーション１０３ｂを実行するためのアプリアイコン３７０が表示され、第２アイコン表示モードでは、ユーザによって選択されたアプリアイコン３７０が表示される。ユーザは、電子機器１の動作モードが通常モードのときに、表示領域２ａを操作子６０で操作することによって、第２アイコン表示モードで表示されるアプリアイコン３７０を決定することができる。
【０１５３】
アイコン表示モードでは、操作子６０が、表示領域２ａでのアプリアイコン３７０の表示上で表示領域２ａから離れる操作が、当該アプリアイコン３７０を選択する操作となっている。つまり、電子機器１の動作モードがアイコン表示モードである場合に、表示領域２ａでのアプリアイコン３７０の表示上に位置するように操作子６０が移動し、その後、操作子６０がその位置で表示領域２ａから離れたことをタッチパネル１３０が検出すると、当該アプリアイコン３７０が選択されて、制御部１００は、選択された当該アプリアイコン３７０に対応するアプリケーション１０３ｂを記憶部１０３から読み出して実行する。
【０１５４】
一方で、電子機器１の動作モードがアイコン表示モードである場合に、表示領域２ａにおいて、アプリアイコン３７０が表示されていない部分に位置するように操作子６０が移動し、その後、操作子６０がその位置で表示領域２ａから離れたことをタッチパネル１３０が検出すると、制御部１００は、アイコン表示モードを解除して、電子機器１の動作モードを通常モードに設定する。
【０１５５】
このように、アイコン表示モードでは、アプリアイコン３７０が表示領域２ａの中央部に表示されることから、ユーザは、右手の親指及び左手の親指のそれぞれでアプリアイコン３７０を選択し易くなる。よって、ユーザは電子機器１を片手で操作しやすくなる。
【０１５６】
なお、上記の例では、カーソル表示モード設定方向３６０、拡大・縮小モード設定方向３６１、第１アイコン表示モード設定方向３６２及び第２アイコン表示モード設定方向３６３を、それぞれ上方向、下方向、左方向及び右方向としたが、他の方向に設定しても良い。例えば、カーソル表示モード設定方向３６０、拡大・縮小モード設定方向３６１、第１アイコン表示モード設定方向３６２及び第２アイコン表示モード設定方向３６３を、それぞれ右方向、左方向、上方向及び下方向としても良い。
【０１５７】
また、操作子６０が表示領域２ａの右側端部３２１から選択モード設定方向３３０に移動することによって電子機器１の動作モードが選択モードとなり、その後、電子機器１の動作モードがアイコン表示モードに設定された際には、図３３に示されるように、表示パネル１２０は、表示領域２ａの右側半分の領域にアプリアイコン３７０を表示してもよい。これにより、ユーザが右手で電子機器１を持った場合、右手の親指でアプリアイコン３７０を選択し易くなる。同様に、操作子６０が表示領域２ａの左側端部３２０から選択モード設定方向３３０に移動することによって電子機器１の動作モードが選択モードとなり、その後、電子機器１の動作モードがアイコン表示モードに設定された際には、表示パネル１２０は、表示領域２ａの左側半分の領域にアプリアイコン３７０を表示してもよい。これにより、ユーザが左手で電子機器１を持った場合、左手の親指でアプリアイコン３７０を選択し易くなる。
【０１５８】
また上記の例では、電子機器１は、第２表示モードとして、第１及び第２アイコン表示モードを有していたが、第１及び第２アイコン表示モードのうちのどちらか一方だけを有していても良い。
【０１５９】
また上記の例では、第２表示モードにおいては、表示領域２ａにアプリアイコンだけが表示されていたが、アプリアイコン以外の表示対象がアプリアイコンとともに表示されても良いし、アプリアイコン以外の表示対象だけが表示されても良い。
【０１６０】
第２表示モードにおいて、アプリアイコン以外の表示対象が表示される際には、例えば、表示領域２ａの輝度を変更するための、図形等で表された輝度変更ボタンが表示領域２ａに表示されて良い。この場合には、操作子６０が、表示領域２ａでの輝度変更ボタンの表示上で表示領域２ａから離れたことがタッチパネル１３０で検出されると、輝度変更ボタンが選択される。そして、制御部１００は、選択された輝度変更ボタンに関連付けられた処理として、表示領域２ａの輝度を変更する。
【０１６１】
また、電子機器１が無線ＬＡＮ（Local Area Network）を用いた通信機能（以後、単に「無線ＬＡＮ機能」と呼ぶ）を有する場合には、第２表示モードにおいて、アプリアイコン以外の表示対象として、例えば、電子機器１での無線ＬＡＮ機能をオン／オフするための、図形等で表された無線ＬＡＮ設定ボタンが表示領域２ａに表示されて良い。この場合には、操作子６０が、表示領域２ａでの無線ＬＡＮ設定ボタンの表示上で表示領域２ａから離れたことがタッチパネル１３０で検出されると、無線ＬＡＮ設定ボタンが選択される。そして、制御部１００は、選択された無線ＬＡＮ設定ボタンに関連付けられた処理として、無線ＬＡＮ機能が現在オフにされている場合にはオンにし、無線ＬＡＮ機能が現在オンにされている場合にはオフにする。
【０１６２】
＜その他の変形例＞
上記の例では、本願発明を携帯電話機に適用する場合を例にあげて説明したが、本願発明は、携帯電話機以外の電子機器にも適用することができる。
【０１６３】
また、本発明は詳細に説明されたが、上記した説明は、すべての局面において、例示であって、本発明がそれに限定されるものではない。例示されていない無数の変形例が、本発明の範囲から外れることなく想定され得る。
【符号の説明】
【０１６４】
１  電子機器
１００  制御部
１０３ａ  メインプログラム（制御プログラム）
１０３ｂ  アプリケーションプログラム
１２０  表示パネル
１３０  タッチパネル
【図１】
2014089522.tif 000003
【図２】
2014089522.tif 000004
【図３】
2014089522.tif 000005
【図４】
2014089522.tif 000006
【図５】
2014089522.tif 000007
【図６】
2014089522.tif 000008
【図７】
2014089522.tif 000009
【図８】
2014089522.tif 000010
【図９】
2014089522.tif 000011
【図１０】
2014089522.tif 000012
【図１１】
2014089522.tif 000013
【図１２】
2014089522.tif 000014
【図１３】
2014089522.tif 000015
【図１４】
2014089522.tif 000016
【図１５】
2014089522.tif 000017
【図１６】
2014089522.tif 000018
【図１７】
2014089522.tif 000019
【図１８】
2014089522.tif 000020
【図１９】
2014089522.tif 000021
【図２０】
2014089522.tif 000022
【図２１】
2014089522.tif 000023
【図２２】
2014089522.tif 000024
【図２３】
2014089522.tif 000025
【図２４】
2014089522.tif 000026
【図２５】
2014089522.tif 000027
【図２６】
2014089522.tif 000028
【図２７】
2014089522.tif 000029
【図２８】
2014089522.tif 000030
【図２９】
2014089522.tif 000031
【図３０】
2014089522.tif 000032
【図３１】
2014089522.tif 000033
【図３２】
2014089522.tif 000034
【図３３】
2014089522.tif 000035